(57)【特許請求の範囲】
【請求項１】
浴槽と浴室の壁との間に、表面に壁と合うように目地が設けられた浴槽デッキを取り付ける浴槽デッキの取り付け構造において、浴槽デッキは水平面部と水平面部の端部から下方に一体に垂下した上部垂直面部とからなる水平デッキ材と、下部垂直面部よりなる垂直デッキ材とで形成すると共に上部垂直面部と下部垂直面部とが垂直方向に連続するように水平デッキ材の上部垂直面部の下端と垂直デッキ材の上端とを着脱自在に連結し、浴室の防水床パンに垂直に立設するように取着した支持キャリアに水平デッキ材を支持し、浴室の壁に取り付けた壁際キャリアにて水平デッキ材を壁に引き付けるように支持し、壁に取り付けた下部支持キャリアにて垂直デッキ材を壁に支持し、防水床パンの堰の上面と垂直デッキ材の下端との間の隙間にスペーサを介装して高さ調整可能にして成ることを特徴とする浴槽デッキの取り付け構造。
【請求項２】
浴槽デッキの高さ及び建ちの調整が可能になるように上記キャリアの取り付け孔を長孔構造にして成ることを特徴とする請求項１記載の浴槽デッキの取り付け構造。
【発明の詳細な説明】
【０００１】
【発明の属する技術分野】
本発明は浴槽と浴室の壁との間に浴槽デッキを取り付ける構造に関するものである。
【０００２】
【従来の技術】
従来の浴槽デッキ１′は水平面部１ａ′と垂直面部１ｂ′と一体に設けて略逆Ｌ字状に形成されており、図５に示すように浴槽２と浴室の壁面の壁パネル３との間に取り付けてある。壁パネル３は枠組みしたフレーム４の表面に表面材５を貼って形成されており、表面材５には縦横に格子状になるように目地６を設けてしてある。図示のものでは表面材５は裏面側の基板５ａと基板５ａの表面側に貼った化粧板５ｂとで形成されている。浴槽デッキ１′は枠組みしたフレーム７に表面材８を貼って形成されており、表面材８には縦横に格子状になるように目地９設けてある。図示のものでは表面材８は裏面側の基板８ａと基板８ａの表面側に貼ったタイル状の化粧板８ｂとで構成されている。上記壁パネル３では表面材５の端部をフレーム４の端部より控えてあり、これに合わせて、図６に示すように浴槽デッキ１′でも表面材８の端部を控えて端部に隙間Ｓを形成してある。
【０００３】
【発明が解決しようとする課題】
上記のような浴槽デッキ１′や壁パネル３を用いて上記のように施工されるのであるが、壁パネル３を組み立てるとき、通常はコーナ部で壁パネル３が図７（ａ）のように納まるところが、図７（ｂ）のように内側に寄せて壁パネル３が組み立てられてしまうことがある。このように壁パネル３が組み立てられてしまった場合、浴槽デッキ１′の表面材８とフレーム７との隙間Ｓの分だけ図８に示すように壁パネル３の目地６と浴槽デッキ１′の目地９とが水平方向にずれてしまうという問題があった。また同様に垂直方向にも目地６と目地９とがずれが生じるという可能性もあったために、図５に示すように垂直、水平の両方向に目地ずれが発生してしまうという問題があった。また浴槽デッキ１′は水平面部１ａ′と垂直面部１ｂ′の全体を一体に形成してあるために嵩張るために輸送に問題点があった。
【０００４】
本発明は上記の点に鑑みてなされたものであり、輸送に嵩張らなくて施工しやすく、また組み立て完了時の仕上がりが綺麗になる浴槽デッキの取り付け構造を提供することを課題とするものである。
【０００５】
【課題を解決するための手段】
上記課題を解決するために本発明の請求項１の浴槽デッキの取り付け構造は、浴槽２と浴室の壁との間に、表面に壁と合うように目地９が設けられた浴槽デッキ１を取り付ける浴槽デッキの取り付け構造において、浴槽デッキ１は水平面部１ａと水平面部１ａの端部から下方に一体に垂下した上部垂直面部１ｂとからなる水平デッキ材Ａと、下部垂直面部１ｃよりなる垂直デッキ材Ｂとで形成すると共に上部垂直面部１ｂと下部垂直面部１ｃとが垂直方向に連続するように水平デッキ材Ａの上部垂直面部１ｂの下端と垂直デッキ材Ｂの上端とを着脱自在に連結し、浴室の防水床パン１０に垂直に立設するように取着した支持キャリア１１，１２に水平デッキ材Ａを支持し、浴室の壁に取り付けた壁際キャリア１３，１４にて水平デッキ材Ａを壁に引き付けるように支持し、壁に取り付けた下部支持キャリア１５にて垂直デッキ材Ｂを壁に支持し、防水床パン１０の堰１６の上面と垂直デッキ材Ｂの下端との間の隙間にスペーサ１７を介装して高さ調整可能にして成ることを特徴とする。浴槽デッキ１を水平デッキ材Ａと垂直デッキ材Ｂとに分割して輸送できて嵩低くして輸送できて施工しやすくできる。また浴槽デッキ１を支持キャリア１１，１２、壁際キャリア１３，１４、下部支持キャリア１５にて上記のように支持して取り付けることにより、壁の目地６と浴槽デッキ１の目地９とが揃ったりして組み立て完了時の仕上がりが綺麗になる。また浴槽デッキ１を水平デッキ材Ａと垂直デッキ材Ｂとに分割したものでも、継ぎ目が上部垂直面部１ｂと下部垂直面部１ｃとの間である垂直面部の中間部に形成され、この継ぎ目を目地９として壁の目地６と揃えることで外観よく納まる。また防水床パン１０の堰１６の上面と浴槽デッキ１の垂直デッキ材Ｂの下端との間の隙間にスペーサ１７を介装して浴槽デッキ１を高さを調整できて壁の目地６と浴槽デッキ１の目地９とが揃うように調整できる。
【０００９】
また本発明の請求項２の浴槽デッキの取り付け構造は、請求項１において、浴槽デッキ１の高さ及び建ちの調整が可能になるように上記キャリア１１，１２，１３，１４，１５の取り付け孔を長孔構造にして成ることを特徴とする。取り付け孔を長孔とすることで取り付け位置を調整して浴槽デッキ１の高さや建ちを容易に調整でき、一層壁の目地６と浴槽デッキ１の目地９とを揃えることができる。
【００１０】
【発明の実施の形態】
浴室の壁を構成する壁パネル３は従来例のようにフレーム４の表面側に表面材５を貼り、表面材５に縦横に格子状に目地６を設けて形成されている。この壁パネル３は防水床パン１０の四周に立設されており、壁パネル３の下端は防水床パン１０の周囲の載置面２１に載置してある。この壁パネル３を立設するときコーナー部では図７（ｂ）の状態に納まるようにしてある。
【００１１】
浴槽デッキ１はフレーム７の表面側に表面材８を貼り、表面材８に壁パネル３の目地９と対応するように目地９を設けて形成されている。本例の場合、表面材８は裏面側の基板８ａと基板８ａの表面側に貼ったタイル状の化粧板８ｂとで構成されている。浴槽デッキ１の端部では図４に示すように表面材８の端部とフレーム７の外面とが面一になっており、従来例のように隙間Ｓを設けていない。浴槽デッキ１の全体的な形状は逆Ｌ字状になっているが、本発明の場合、水平デッキ材Ａと垂直デッキ材Ｂとで構成されている。水平デッキ材Ａは水平な水平面部１ａと、水平面部１ａの端部から下方に垂直に一体に垂下した上部垂直面部１ｂとで構成され、垂直デッキ材Ａは下部垂直面部１ｃで構成されている。浴槽デッキ１は水平デッキ材Ａと垂直デッキ材Ｂとに分割した状態で工場から現場に輸送されるものであり、嵩低い状態で輸送できる。そして施工現場で水平デッキ材Ａの上部垂直面部１ｂの下端と垂直デッキ材Ｂの下部垂直面部１ｃの上端とを連結して浴槽デッキ１が組み立てられる。このとき上下に隣合うフレーム７間にボルト２２ａとナット２２ｂとよりなる固着具２２を締結して水平デッキ材Ａと垂直デッキ材Ｂとが連結される。
【００１２】
上記のように浴槽デッキ１を逆Ｌ字状になるように組み立てた状態で、壁パネル３と浴槽２との間に浴槽デッキ１を配置してこの間を仕舞うように取り付けられるのであるが、浴槽２を設置する前に図１乃至図３に示すように支持キャリア１１，１２、壁際キャリア１３，１４、下部支持キャリア１５等にて次のように取り付けられる。枠組みされた支持キャリア１１，１２の下端は防水床パン１０の底面上に載置され、支持キャリア１１，１２に壁際に設けた壁取り付け片２３が壁面に当接され、壁取り付け片２３に設けた取り付け孔２３ａからビスのような固着具を打入して固定されている。支持キャリア１１，１２の上端の上取り付け片２４が浴槽デッキ１の水平デッキ材Ａのフレーム７の下面に当接され、上取り付け片２４に設けた挿通孔からボルトのようなねじ具２５をフレーム７に螺入して取り付けてある。上取り付け片２４に設ける挿通孔はばか孔であって、上取り付け片２４に対して浴槽デッキ１を水平方向に位置を微調整できるようになっている。壁際キャリア１３，１４は上縦片２６と横片２７と下縦片２８とを有しており、横片２７をフレーム７の下面に当接した状態で下縦片２８を壁面に沿わせ、下縦片２８の取り付け孔２８ａから壁面にビスのような固着具２９を壁面に打入して壁面に壁際キャリア１３，１４を取り付ける。このとき取り付け孔２８ａは上下に長い長孔であるために取り付け孔２８ａを壁面の下孔と合わせることができ、壁際キャリア１３，１４の取り付け位置を上下に調整できる。壁際キャリア１３，１４の上縦片２６には小ねじのようなねじ具３０を螺入してあり、ねじ具３０を締め付けることでフレーム７を壁際に引き寄せて表面材８の端面を壁パネル３の表面材５の表面に当接する。ねじ具３０を締め付ける前にはねじ具２５を緩めておき、ねじ具３０を締め付けた後にねじ具２５を強く締め付ける。上記のようにねじ具３０にて引き寄せて取り付けると、水平の位置を揃えるように取り付けることができる。また下部支持キャリア１５は一対の縦片３１，３２でアングル状になっている。この下部支持キャリア１５の縦片３１を壁面に当接してあり、縦片３１の取り付け孔３１ａからビスのような固着具３４を壁面に打入して縦片３１を壁面に取り付けてある。下部支持キャリア１５の縦片３２は浴槽デッキ１の垂直デッキ材Ｂのフレーム７に当接され、縦片３２の取り付け孔３２ａからビスのような固着具をフレーム７に打入して縦片３２をフレーム７に取り付けてある。上記取り付け孔３２ａは上下に長い長孔となっており、取り付け孔３１ａは左右方向に長い長孔となっており、壁面やフレーム７の下孔に合わせるように位置調整しながら固定でき、浴槽デッキ１の高さや建ちを調整することができる。浴槽デッキ１の垂直デッキ材Ｂの下端の下方で防水床パン１０には堰１６を設けてあり、垂直デッキ材Ｂの下端と堰１６の上面との間の隙間にスペーサ１７を挿入してあり、スペーサ１７を挿入することで浴槽デッキ１の荷重が堰１６に伝わるようになっている。このときスペーサ１７の枚数や厚さを調整することにより浴槽デッキ１の高さを調整することができる。上記のようにして浴槽デッキ１を取り付けることにより、壁パネル３の目地６と浴槽デッキ１の目地９とが揃うように取り付けることができ、仕上がりが綺麗になるように施工することができる。また水平デッキ材Ａと垂直デッキ材Ｂの継ぎ目の目地９も壁パネル３の目地６と揃って外観よくなる。
【００１３】
また浴槽デッキ１の浴槽２側の端部から水平方向に突出するように舌片１８を突設してあり、舌片１８を浴槽２のフランジ２ａの下に位置させてあり、舌片１８をバックアップとして浴槽デッキ１の端部とフランジ２ａとの間にシリコンコーキング材のようなコーキング材１９を充填してある。このように舌片１８にてコーキング材１９をバックアップして取り付けることで容易にコーキング材１９を取り付けることができると共にコーキング材１９にて浴槽２のフランジ２ａと浴槽デッキ１との間を確実にシールできる。
【００１４】
【発明の効果】
本発明の請求項１の発明は、浴槽デッキは水平面部と水平面部の端部から下方に一体に垂下した上部垂直面部とからなる水平デッキ材と、下部垂直面部よりなる垂直デッキ材とで形成すると共に上部垂直面部と下部垂直面部とが垂直方向に連続するように水平デッキ材の上部垂直面部の下端と垂直デッキ材の上端とを着脱自在に連結したので、浴槽デッキを水平デッキ材と垂直デッキ材とに分割して輸送できて嵩低くして輸送できて施工しやすくできるものであり、また浴室の防水床パンに垂直に立設するように取着した支持キャリアに水平デッキ材を支持し、浴室の壁に取り付けた壁際キャリアにて水平デッキ材を壁に引き付けるように支持し、壁に取り付けた下部支持キャリアにて垂直デッキ材を壁に支持しているので、壁の目地と浴槽デッキの目地とが揃ったりして組み立て完了時の仕上がりが綺麗になるものであり、また浴槽デッキを水平デッキ材と垂直デッキ材とに分割したものでも、継ぎ目が上部垂直面部と下部垂直面部との間である垂直面部の中間部に形成され、この継ぎ目を目地として壁の目地と揃えることで外観よく納まるものであり、また防水床パンの堰の上面と浴槽デッキの垂直デッキ材の下端との間の隙間にスペーサを介装して高さ調整可能にしたので、堰と垂直デッキ材との間にスペーサを介装することで浴槽デッキ材の高さを調整できて壁の目地と浴槽デッキの目地が揃うように調整できるものである。
【００１８】
また本発明の請求項２の発明は、請求項１において、浴槽デッキの高さ及び建ちの調整が可能になるように上記キャリアの取り付け孔を長孔構造にしているので、取り付け位置を調整して浴槽デッキの高さや建ちを容易に調整でき、一層壁の目地と浴槽デッキの目地とを揃えることができるものである。
【図面の簡単な説明】
【図１】本発明の実施の形態の一例の正面から見た断面図である。
【図２】図１のＸ−Ｘ線で切断した断面図である。
【図３】同上の斜視図である。
【図４】同上の浴槽デッキの端部を示す断面図である。
【図５】従来例を示す斜視図である。
【図６】従来例の浴槽デッキの端部を示す断面図である。
【図７】（ａ）は従来例の通常の壁パネルの納まりを示す斜視図、（ｂ）は壁パネルが内側に寄せて組み立てられた納まりを示す斜視図である。
【図８】（ａ）は従来例の浴槽デッキの納まりを示す平面から見た断面図、（ｂ）は（ａ）のＹ−Ｙ線断面図である。
【符号の説明】
１  浴槽デッキ
１ａ  水平面部
１ｂ  上部垂直面部
１ｃ  下部垂直面部
Ａ  水平デッキ材
Ｂ  垂直デッキ材
２  浴槽
７  フレーム
８  表面材
９  目地
１０  防水床パン
１１  支持キャリア
１２  支持キャリア
１３  壁際キャリア
１４  壁際キャリア
１５  下部支持キャリア
１６  堰
１７  スペーサ
１８  舌片
１９  コーキング材
【図１】
0003552551.tif 000002
【図２】
0003552551.tif 000003
【図３】
0003552551.tif 000004
【図４】
0003552551.tif 000005
【図５】
0003552551.tif 000006
【図６】
0003552551.tif 000007
【図７】
0003552551.tif 000008
【図８】
0003552551.tif 000009